(57)【要約】【課題】市販の門扉の支柱を加工・解像することなく簡単に取り付けでき、激地震の発生時において合い鍵を必要とせず、地震の揺れを感知して自動的に解錠し、門扉を開放することで人命救助に役立つ機械式門扉地震自動門扉解錠装置を提供する。【解決手段】市販の門扉の支柱に本発明の解放装置を取付け、感震駆動装置に連結された可動片を激地震発生時に可動させて激地震発生時に門扉の錠を開放することで解決を図る。【選択図】図１
2014037759.tif 000002
【特許請求の範囲】
【請求項１】
鍵穴とレバーハンドルとデッドボルトとを少なくとも備えた門扉の錠前取り付け部材と対面する施錠側支柱の前記錠前取り付け部材と対面する取付面に取り付けられる開放装置の手前側の開放口面と前記開放装置の前記錠前取り付け部材と対面する開放装置取付面とに連通し前記デッドボルトが通過可能な開放口を形成し、前記開放装置の手前側の面に形成された開放口の少なくとも一部を遮蔽して前記デッドボルトが通過するのを阻止する可動片に牽引ワイヤーを連結し、前記牽引ワイヤーには地震の揺れにより牽引ワイヤーを介して可動片を牽引して前記開放口を前記デッドボルトが通過可能とする感震駆動装置を連結したことを特徴とする地震自動門扉開錠装置。
【請求項２】
可動片は取付具内に摺動自在に保持されるとともに、可動片と取付具との間には圧縮バネが介在されていることを特徴とする請求項１記載の地震自動門扉開錠装置。
【請求項３】
感震駆動装置は、ベースと、前記ベースに回転自在に取り付けられた回転板と、前記回転板に一端が固定され他端が鍵を解錠する解錠装置に連結された索条と、前記回転板の時計方向叉は反時計方向の回転により付勢される復帰ばねと、前記回転板に軸支されて前記復帰ばねを付勢させた状態で前記回転板に設けたストッパーに係止するフック部を形成したストッパーアームと、前記ストッパーアームを前記ストッパー方向に付勢して前記ストッパーアームでストッパーを係止するばね体と、前記ストッパーアームを押し上げて前記ストッパーアームと前記ストッパーとの係止を解除する押上げ棒と、前記押上げ棒の移動を案内するガイドと、前記押上げ棒を中心位置に立設した受動板と、前記受動板の下面に当接し揺動により前記受動板を垂直方向に押し上げる押上げ円盤と、前記押上げ円盤を上端に設けた吊下げ軸と、前記吊下げ軸を揺動自在に支持する支持部と、前記吊下げ軸の下端に設けられ地震の揺れで揺動する錘とを備えたことを特徴とする請求項１〜２記載の地震自動門扉開錠装置。
【発明の詳細な説明】
【技術分野】
【０００１】  本発明は、地震の振動により自動的に索条を牽引する感震駆動装置を用いて門扉に設けられた錠を自動的に解錠可能とする地震自動解錠装置に関するものである。
【背景技術】
【０００２】  従来、地震発生時、家の中から外へ避難する際、ドアはピッキングを手で廻すことでドアの施錠を解錠することはできるが、施錠された門扉は合鍵で解錠しなければならず、合鍵を持ち出して非難することは地震発生時、困難であるという問題点があった。【０００３】  建築物のドアや両開き扉の解錠方法は、既に特開２０１０−２２２８４３／特開２０１１−１７８８／実用新案登録第３１４４５０９号／実用新案登録第３１４８８１０号において特許及び実用新案を提案しているが、門扉の地震自動解錠装置は、提案されていなかった。
【先行技術文献】
【特許文献】
【０００４】
【特許文献１】特開２０１０−２２２８４３号公報
【特許文献２】特開２０１１−１７８８号公報
【特許文献３】登録実案第３１４４５０９号
【特許文献４】登録実案第３１４８８１０号
【発明の概要】
【発明が解決しようとする課題】
【０００５】  本発明は、地震が発生すると同時に門扉の施錠された状態を解錠状態にして、合鍵が無くても門扉を開けて避難することができる感震駆動装置を用いた門扉の地震自動解錠装置を提供することを目的とする。
【課題を解決するための手段】
【０００６】  本発明は、上記問題点に鑑みてなされたものであり、鍵穴６とレバーハンドル７とデッドボルト８とを少なくとも備えた門扉１の錠前取り付け部材２と対面する施錠側支柱３の前記錠前取り付け部材２と対面する取付面３ａに取り付けられる開放装置Ａの手前側の開放口面Ａａと前記開放装置Ａの前記錠前取り付け部材２と対面する開放装置取付面Ａｂとに連通し前記デッドボルト８が通過可能な開放口１１を形成し、前記開放装置Ａの手前側の面Ａａに形成された開放口１１の少なくとも一部を遮蔽して前記デッドボルト８が通過するのを阻止する可動片１２に索条Ｄを連結し、前記索条Ｄには地震の揺れにより索条Ｄを介して可動片１２を牽引して前記開放口１１を前記デッドボルトが通過可能とする感震駆動装置Ｃを連結したことを特徴とする。【０００７】  可動片１２は取付具１５内に摺動自在に保持されるとともに、可動片１２と取付具１５との間には圧縮バネ１３が介在されていることが好ましい。【０００８】  感震駆動装置Ｃａは、ベース１７と、前記ベース１７に回転自在に取り付けられた回転板１８と、前記回転板１８に一端が固定され他端が開放装置Ａの可動片１２に連結された索条Ｄと、前記回転板１８の時計方向叉は反時計方向の回転により付勢される駆動ばね２２と、前記回転板１８に軸支されて前記駆動ばね２２を付勢させた状態で前記回転板１８に設けたストッパー２６に係止するフック部２７を形成したストッパーアーム２８と、前記ストッパーアーム２８を前記ストッパー方向に付勢して前記ストッパーアーム２８でストッパー２６を係止する復帰ばね３０と、前記ストッパーアーム２８を押し上げて前記ストッパーアーム２８と前記ストッパー２６との係止を解除する押上棒３３と、前記押上棒３３の移動を案内するガイド３４と、前記押上棒３３を中心位置に立設した受動板３８と、前記受動板３８の下面に当接し揺動により前記受動板３８を垂直方向に押し上げる押上円盤３９と、前記押上円盤３９を上端に設けた吊下軸４０と、前記吊下軸４０を揺動自在に支持する支持部４１と、前記吊下軸４０の下端に設けられ地震の揺れで揺動する錘４５とを備えていることが好ましい。
【発明の効果】
【０００９】  本発明の感震駆動装置を用いた門扉の地震自動解錠装置は、鍵穴６とレバーハンドル７とデッドボルト８とを少なくとも備えた門扉１の錠前取り付け部材２と対面する施錠側支柱３の前記錠前取り付け部材２と対面する取付面３ａに取り付けられる開放装置Ａの手前側の開放口面Ａａと前記開放装置Ａの前記錠前取り付け部材２と対面する開放装置取付面Ａｂとに連通し前記デッドボルト８が通過可能な開放口１１を形成し、前記開放装置Ａの手前側の面Ａａに形成された開放口１１の少なくとも一部を遮蔽して前記デッドボルト８が通過するのを阻止する可動片１３に索条Ｄを連結し、前記索条Ｄには地震の揺れにより索条Ｄを介して可動片１３を牽引して前記開放口１１を前記デッドボルト８が通過可能とする感震駆動装置Ｃａを連結したことを特徴とするものであるから、地震が発生すると同時に門扉の施錠された状態を開錠状態にして、合鍵が無くても門扉を開けて避難することができるという効果がある。更に、既存の門扉に本発明の解錠装置を取り付ける方法として既存の門扉を加工や移設することなく取り付けることが可能であるという効果がある。【００１０】  請求項２の発明によれば、圧縮バネにより索引ワイヤーは常時可動片側に引っ張られており、地震発生時に可動片を確実に作動させることができるともに、作動片を所定位置に位置させることができるという効果がある。【００１１】  請求項３の発明によれば、回転板の上端よりも下方に地震自動解錠装置の感震駆動装置の構成部品を配設することが可能となり、感震駆動装置をコンパクトすることができるとともに、押上棒でストッパーアームを押し上げるだけで、ストッパーアームと回転板との係止状態が解除されて回転板は駆動ばねにより駆動して鍵を解錠することができ、解錠装置を確実に動作させることができるという効果がある。
【図面の簡単な説明】
【００１２】
【図１】本発明の開放装置を取付けた門扉の正面図である。
【図２】同上の開放装置を取付けた門扉の平面図である。
【図３】同上の開放装置に連結される感震駆動箱の内部を示す正面図である。
【図４】同上の開放装置を取付けた門扉の拡大正面図である。
【図５】同上の門扉の施錠部の拡大斜視図である。
【図６】同上の開放装置の要部の解錠時の斜視図である。
【図７】同上の開放装置の要部の施錠時の斜視図である。
【図８】同上の開放装置の平面から見た断面図である。
【図９】同上の開放装置部の補強プレートの詳細図である。
【図１０】同上の開放装置の要部の可動片の施錠時の斜視図である。
【図１０ａ】開放装置図６の要部の内部詳細図である。
【図１０ｂ】開放装置図６の要部の内部詳細図である。
【図１１】図９におけるＡ方向から見た断面図である。
【図１２】図９におけるＢ方向から見た断面図である。
【図１３】同上の感震駆動装置の斜視図である。
【図１４】同上の感震駆動装置の斜視図である。
【図１５】同上の感震駆動装置のセット時の正面図ある。
【図１６】同上の感震駆動装置の開放時の正面図ある。
【図１７】本発明の調整ネジ部組み立て詳細図である。
【図１８】本発明の感震駆動装置部のストッパーアームの正面図である。
【図１９】本発明の感震駆動装置部のストッパーアームの側面図である。
【図２０】本発明の感震駆動装置部の調整受板の正面図である。
【図２１】本発明の感震駆動装置部の調整受板の側面図である。
【図２２】現在市販されている通常の門扉の正面図である。
【図２３】現在市販されている通常の門扉の施解錠部の斜視図である。
【発明を実施するための形態】
【００１３】  以下、本発明の好ましい実施の形態について、図１乃至図２２を参照しながら詳細に説明する。
【００１４】  門扉１は、施錠側支柱３と蝶番側支柱４の間に設けられており、蝶番５により蝶番側支柱４に取り付けられている。
【００１５】  門扉１には、錠前取付部材２に鍵穴６を備えた錠前が内蔵されており、合鍵を差し込んで施錠するとデットボルト８が飛び出し施錠側支柱３に設けられた施錠口１０に遊挿されることで門扉１は施錠される。
【００１６】  本発明においては、施錠側支柱３に地震自動門扉解錠に必要な機構を組み込んだ解放装置Ａをタッピングビスで取付穴１６に貫通させて螺着している。錠前取り付け部材２と対面する施錠側支柱３の前記錠前取り付け部材２と対面する取付面３ａに取り付けられる開放装置Ａの手前側の開放口面Ａａと前記開放装置Ａの前記錠前取り付け部材２と対面する開放装置取付面Ａｂとに連通し前記デッドボルト８が通過可能な開放口１１を形成している。
【００１７】  中空角柱形をした解放装置Ａの構造は、中空角柱の一辺に施錠口１０に連続して開放口１１を形成する穴を開け更に前記施錠口１０と開放口１１の強度を増すために補強プレート１２を螺着している。
【００１８】  また、中空角柱を用いた解放装置Ａの内部にはガイド１５を設け、可動片１３が上下に自由に摺動可能となっている。ガイド１５は、デッドボルト８の動作を妨げないように開放口１１の下端位置がガイド１５の上端位置になっている。
【００１９】平時即ち感震駆動装置Ｃａが作動しない場合においては、ワイヤーＤが伸びているため、可動変１３は圧縮バネ１４の反発力により上方に上がり、施錠状態になっている。
【００２０】地震の揺れにより感震駆動装置Ｃａが作動すると、ワイヤーＤに接続された可動変１３は圧縮バネを圧縮しながらストッパー１７がガイド１５の上端に掛る位置まで下降する。
【００２１】  可動片１３は開放口１１を塞ぐ大きさとし、ガイド１５と可動片１３との間に挿入された圧縮バネ１４によって常に開放口１１は塞がれている。
【００２２】  従って、施錠時のデットボルト８は施錠口１０に遊挿され、可動片１３によって開放口１１を塞いでおり、門扉１の開門が妨げられるので施錠状態となる。
【００２３】  感震駆動箱Ｃの中に取り付けられた感震駆動装置Ｃａに接続された索条Ｄが地震の揺れによって牽引することで索条Ｄの末端に接続された可動片１３が移動し、開放口１１が開放される。
【００２４】  開放口１１が開放されることでデッドボルト８は開放口１１を通過可能となり、門扉１は自由に開くことが可能となる。
【００２５】次に、感震駆動装置Ｃａについて説明する。感震駆動装置Ｃａは、ベース１７と、前記ベース１７に回転自在に取り付けられた回転板１８と、前記回転板１８に一端が固定され他端が開放装置Ａの可動片１３に連結された索条Ｄと、前記回転板１８の時計方向叉は反時計方向の回転により付勢される駆動ばね２２と、前記回転板１８に軸支されて前記駆動ばね２２を付勢させた状態で前記回転板１８に設けたストッパー２６に係止するフック部２７を形成したストッパーアーム２８と、前記ストッパーアーム２８を前記ストッパー２６方向に付勢して前記ストッパーアーム２８でストッパー２６を係止する復帰ばね３０と、前記ストッパーアーム２８を押し上げて前記ストッパーアーム２８と前記ストッパー２６との係止を解除する押上棒３３と、前記押上棒３３の移動を案内するガイド３４と、前記押上棒３３を中心位置に立設した受動板３８と、前記受動板３８の下面に当接し揺動により前記受動板３８を垂直方向に押し上げる押上円盤３９と、前記押上円盤３９を上端に設けた吊下軸４０と、前記吊下軸４０を揺動自在に支持する支持部４１と、前記吊下軸４０の下端に設けられ地震の揺れで揺動する錘４５とを備えている。
【００２６】  ベース１７は、四角形の金属板で形成されており、本体取付穴１７ｂを有する取付け脚１７ａが４隅に形成されている。
【００２７】  回転板１８は、円形の金属板で形成されており、回転板１８の支軸１９がベアリングを介してベース１７に回動自在に取り付けられている。回転板１８は、円形の金属板で形成したが、合成樹脂材でも構わないものである。
【００２８】  回転板１８には、索条Ｄの一端が固定されるとともに、索条Ｄの他端が可動片１３に連結されている。
【００２９】  索条Ｄは中空ケーブル２０内に挿入されており、前記中空ケーブル２０の両端がそれぞれ感震駆動装置Ｃａにケーブル押金具２１により固定されているので、駆動ばね２２の付勢力による索条Ｄの索引が確実に伝達されるものである。
【００３０】  ベース１７に索条止金具２３が固定されており、前記索条止金具２３に中空ケーブル２０の端末を係止することにより索条Ｄが牽引可能となるものである。索条Ｄは、滑らかに巻き取り引き出しができるように回転板１８の接線方向に設けられており、回転板１８の外周に設けられた溝に沿って、回転板１８に一端が固定された索条Ｄが引っ張られるようになっている。
【００３１】    駆動ばね２２は、回転板１８の時計方向の回転により付勢されるものであり、一端がベース１７に設けられた駆動ばねポスト（下）２４に支持されるとともに、他端が回転板１８に設けられた駆動ばねポスト（上）２５に支持されている。駆動ばね２２は、引っ張りコイルばねを実施例としているが、ねじりコイルばねを使用しても構わないものであり、回転板１８の支軸１９にねじり部が取り付けられるとともに、ねじりコイルばねの一端をベース１７に保持し、ねじりコイルばねの他端を回転板１８に保持すれば良いものである。引っ張りコイルばねを実施例としたものは、回転板１８を取り付けた後でも、駆動ばね２２を回転板１８に取り付けることができ、組み立てが容易であるという効果がある。
【００３２】  回転板１８に軸支されて駆動ばね２２を付勢させた状態で回転板１８に設けたストッパー２６に係止するフック部２７がストッパーアーム２８に形成されている。
【００３３】  ストッパーアーム２８は、薄厚の金属板で形成されており、ベース１７に立設されたストッパーアーム軸２９に開口部２８ａが遊嵌されて揺動自在に支持されている。
【００３４】  ストッパーアーム２８は、復帰ばね３０によりストッパーアーム２８でストッパー２６を押圧する方向に付勢されており、ストッパーアーム２８でストッパー２６を係止している。復帰ばね３０は、一端がベース１７に設けられた支持ポスト３１に支持されるとともに、他端がストッパーアーム２８に設けられたばね取付穴３２に取付けられている。
【００３５】  ストッパーアーム２８にはストッパーアーム２８を押し上げてストッパーアーム２８とストッパー２６との係止を解除する押上棒３３の先端が当接されている。
【００３６】  押上棒３３は、コ字状の押上棒ガイド３４のガイド片３５で案内され、押上棒ガイド３４はガイド止ネジ３６によりベース１７に固定されている。押上棒３３は、押上棒ガイド３４の一対のガイド片３５にそれぞれ形成された貫通孔３７に挿入されており、上下方向に移動自在に案内されている。
【００３７】  押上棒３３は、薄板で円盤状の受動板３８の中心位置に垂直方向に立設されている。
【００３８】受動板３８の下面には押上円盤３９が当接している。受動板３８は、押上円盤３９の揺動に追従して上下動するものであり、押上棒３３により、ストッパーアーム２８を押し上げるようになっている。
【００３９】  押上円盤３９は、吊下軸４０の上端に固定されている。
【００４０】  吊下軸４０を揺動自在に支持するＬ字型の錘受台４１がベース１７に取付ネジ４２により固定されている。吊下軸４０が吊下軸４０よりも径大に形成された開口部４３に揺動自在に挿入されている。吊下軸４０の上部中間位置には球面スラスト４４が固定されており、吊下軸４０がスムーズに揺動するように構成されている。球面スラスト４４は、半球状、球状、円錐状のように、開口部４３に対し、スムーズに吊下軸４０が揺動するようにした形状が望ましいものである。
【００４１】  吊下軸４０の下端には地震の揺れで揺動する錘４５の中心が取り付けられており、地震の揺れで錘４５が揺動すると、押上円盤３９により受動板３８を垂直方向に押し上げるように構成されている。錘４５は、解錠に必要な重量に設定されている。
【００４２】    調整ネジ４６は、ストッパーアーム２８の終端部に切り起しにより形成された螺合片４７に螺合し、前記調整ネジ４６を右又は左に回すことにより前記調整ネジ４６の端部が調整受板４８の受板片４９に接し、押上棒３３とストッパーアーム２８との間隙を調節することが可能である。従って、押上棒３３とストッパーアーム２８との間隙幅を調節することにより前記押上棒３３の動作可能な上下動幅が変化するので、それに伴い押上円盤１１の動作可能な押上げ幅も変化するのであり、前記押上円盤３９に固着吊り下げられた錘４５の振幅も変化する。押上棒３３とストッパーアーム２８との間隙幅を狭く設定しておくと、揺れの小さな地震でも押上棒８でストッパーアーム２８を押し上げてフック部２７からストッパー２６が外れる仕組みとなっているのである。調整受板４８は、ベース１７に立設されたストッパーアーム軸２９に開口部４８ａが遊嵌されて揺動自在に支持されている。
従って、地震の揺れによってストッパー２６がフック部２７から開放される時点の調整が可能となるものである。調整完了後はナット５０により前記調整ネジ４６が緩まないように前記ナット５０を締めつけて調整終了とする。
【００４３】  また、押上棒３３の頂部と調整ネジ４６の端部の接触点を一点に合わせることが容易にできないため、調整受板４８を設けることでその不都合を解消したものである。
即ち、前記押上棒３３と前記調整ネジ４６の間に調整受板４８の受板片４９を挿入することで前記調整ネジ４６と押上棒３３の頂部との位置がずれていても前記受板片４９により前記押上棒３３の力は前記調整ネジ４６に伝達されるため、前記調整ネジ４６が螺着された螺合片４７がストッパーアーム２８と一体につきストッパーアーム軸２９を中心に前記ストッパーアーム２８が回動するためフック部２７からストッパー２６が外れる仕組みとなっている。押上棒３３の頂部及び調整ネジ４６の頂部を揺れの感度をよくするために凸曲面状としたものは、押上棒３３の頂部及び調整ネジ４６の頂部を一点に合わせることが容易にできないのであり、受板片４９が形成されたものが有効であるが、受板片４９は調整ネジ４６と別体の調整受板４８に設けても構わないが、調整ネジ４６の先端に円形の調整受板４８を調整受板４８に形成したねじにより螺着しても構わないものである。
【００４４】  セットハンドル５１は、回転板１８に固着されており、セットハンドル５１を手で回転することで支軸に回動自在に軸支されたストッパー２６をストッパーアーム２８のフック部２７に係留するものである。ストッパー２６の支軸は、回転板１８に垂直方向に立設されている。
【００４５】  ストッパー２６がフック部２７から開放され、回転板１８が駆動ばね２２の付勢により駆動ばね２２方向に回転する。索条Ｄが解錠に必要な牽引長さ以上に牽引することを防ぐため、回転板１８に回転止板５２を固着し、回転止板５２に回転止具５３を配設、ベース１に回転受板５４を固着して回転板１８の回転角度を一定の位置で停止する手段を講じている。
【００４６】  以下、動作状態について説明する。錘４５が揺れることでストッパーアーム２８がストッパー２６の繋止を解除するため回転板１８は駆動ばね２２の付勢力により回転し、回転板１８の外周側面に設けられた溝に沿って索条Ｄが引っ張られる。
【００４７】  地震発生により、ストッパー２６の掛止がストッパーアーム２８に設けられたフック部２７から解放する手段として、地震の揺れにより錘４５が吊下軸４０に嵌着された吊下げ球面スラスト４４を支点に傾くことで吊下軸４０の上端に固着された押上円盤３９の上面に接する受動板３８を押し上げ、更に受動板３８の中央に垂直方向に固着された押上棒３３を垂直方向に押し上げることでストッパーアーム軸２７を中心にストッパーアーム２８が回動する。
【００４８】  ストッパーアーム２８が回動するとストッパーアーム２８に設けられたフック部２７が回転板１８に軸着されたストッパー２６を解放するため、回転板１８は駆動ばね２２の付勢により支軸１９を中心に索条Ｄを牽引する方向に回転することで索条Ｄは解錠に必要な牽引を行う。
【００４９】  地震の揺れを確実にストッパー２６からフック部２７の掛止を解放し、索条Ｄを牽引することで解錠可能とする。
【００５０】  フェンス用門扉１の施錠側支柱４に施錠開放装置２を装着し、感震駆動器を内蔵した感震駆動箱７から取り出した牽引ワイヤー８を前記施錠開放装置内に設けた可動片１５の端部に固着し、地震の振動により感震駆動器が作動することでワイヤー８が引っ張られると前記可動片が移動することで、扉に装着された施錠時のデッドボルト１０が開放されることにより門扉１は自由に開くことができる。
【００５１】  回転板１８の上端位置よりも上方に突出しているのは、中空ケーブル２０及びケーブル２０をベース１７に保持するケーブル保持手段を実施例とするケーブル押金具２１の一部であり、実質的に回転板１８の上端よりも下方に地震自動解錠装置の感震駆動装置Ｃａの構成部品を配設しており、感震駆動装置Ｃａをコンパクトにしているものであるが、ケーブル保持手段を回転板１８の上端よりも下方に配設し、更に、感震駆動装置Ｃａをコンパクトにしても構わないものである。尚、ケーブル保持手段は、ケーブル押金具２１の実施例に限定されること無く、例えば、Ｕ字状に折り曲げられた保持具の両端をベース１の裏面でねじ止めしたようなものでも構わないものである。
【符号の説明】
【００５２】Ａ    解放装置
Ａａ  開放口面
Ａｂ  開放装置取付面
Ｂ    施解錠部
Ｃ    感震駆動箱
Ｃａ  感震駆動装置
Ｄ    牽引ワイヤー
１    門扉
２    錠前取付部材
３    施錠側支柱
３ａ  取付面
４    蝶番側支柱
５    蝶番
６    鍵穴
７    レバーハンドル
８    デッドボルト
９    ストライク
１０  施錠口
１１  解放口
１２  補強プレート
１３  可動片
１３ａ可動片ストッパー
１４  圧縮バネ
１５  ガイド
１５ａバネ受金
１５ｂ止め板（ｂ）
１５ｃ止め板（ｃ）
１６  取付穴
１７  ベース
１７ａ取付け脚
１７ｂ本体取付穴
１８  回転板
１９  支軸
２０  中空ケーブル
２１  ケーブル押金具
２２  駆動ばね
２３  索条止金具
２４  駆動ばねポスト（下）
２５  駆動ばねポスト（上）
２６  ストッパー
２７  フック部
２８  ストッパーアーム
２９  ストッパーアーム軸
３０  復帰ばね
３１  支持ポスト
３２  ばね取付穴
３３  押上棒
３４  押上棒ガイド
３５  ガイド片
３６  ガイド止ネジ
３７  貫通孔
３８  受動板
３９  押上円盤
４０  吊下軸
４１  支持部
４２  取付ネジ
４３  開口部
４４  球面スラスト
４５  錘
４６  調整ネジ
４７  螺合片
４８  調整受板
４９  受板片
５０  ナット
５１  セットハンドル
５２  回転止板
５３  回転止具
５４  回転受板
【図１】
2014037759.tif 000003
【図２】
2014037759.tif 000004
【図３】
2014037759.tif 000005
【図４】
2014037759.tif 000006
【図５】
2014037759.tif 000007
【図６】
2014037759.tif 000008
【図７】
2014037759.tif 000009
【図８】
2014037759.tif 000010
【図９】
2014037759.tif 000011
【図１０】
2014037759.tif 000012
【図１０ａ】
2014037759.tif 000013
【図１０ｂ】
2014037759.tif 000014
【図１１】
2014037759.tif 000015
【図１２】
2014037759.tif 000016
【図１３】
2014037759.tif 000017
【図１４】
2014037759.tif 000018
【図１５】
2014037759.tif 000019
【図１６】
2014037759.tif 000020
【図１７】
2014037759.tif 000021
【図１８】
2014037759.tif 000022
【図１９】
2014037759.tif 000023
【図２０】
2014037759.tif 000024
【図２１】
2014037759.tif 000025
【図２２】
2014037759.tif 000026
【図２３】
2014037759.tif 000027